【事件の表示】
　特許第３３２１２９１号「カメラにおける数値デ−タ設定装置」の請求項１に係る特許に対する特許異議の申立てについて、次のとおり決定する。
【結　論】
　特許第３３２１２９１号の請求項１に係る特許を取り消す。
【理　由】
１　【手続きの経緯】
　特許第３３２１２９１号の請求項１に係る発明についての出願は、平成５年２月３日に出願した特願平５−３９５００号の一部を平成６年５月６日に新たな特許出願としたものであって、平成１４年６月２１日にその発明について特許権の設定登録がなされ、その後、その特許について、異議申立人佐藤勝明より特許異議の申立てがなされ、取消しの理由が通知され、その指定期間内である平成１５年７月１５日に訂正請求がなされた後、訂正拒絶理由が通知されたものである（なお、この訂正拒絶理由に対し、期間を指定して意見書を提出する機会を与えたが、特許権者からは何の応答もない。）。　　　
　　　　　　　　　　　　　　　　　　
２　【訂正の適否】
　特許権者が求めている訂正の内容は、次の（１）、（２）のとおりである。
（１）　訂正事項ａ
　特許請求の範囲の「【請求項１】ズーミング操作を行うためのズーミング操作部と、設定すべき数値データの種類を選択する選択操作部と、選択された数値データの数値をズーミング操作部の操作により増減させる制御手段と、を具備したことを特徴とするカメラにおける数値データ設定装置。」とある記載を、
「【請求項１】
　撮影モニタ画像や設定すべき数値データが表示可能なビューファインダ等の表示部と、ズーミング操作を行うためにテレ側へのズーミングとワイド側へのズーミングを行うそれぞれのスイッチ手段を互いに近接して配置したズーミング操作部と、設定すべき数値データの種類を選択する選択操作部と、選択された数値データの数値を前記ズーミング操作部の操作により増減させると共に前記選択操作部が操作されて数値データの設定を行うモードが選択され当該モードに移行した後には前記選択操作部の操作状態に関係なく前記ズーミング操作部のそれぞれのスイッチの操作状態に対応して前記数値データの増減を行う制御手段と、を具備し、前記表示部を観察しながら前記選択操作部及び前記ズーミング操作部を操作して所望の数値データを設定するようにしたことを特徴とするカメラにおける数値データ設定装置。
　【請求項２】
　前記数値データは時刻や日付に関するデータであり、前記選択操作部によって年、月、日、時、分の選択項目が連続的に順次選択可能であることを特徴とする請求項１に記載のカメラにおける数値データ設定装置。
　【請求項３】
　前記テレ側へのズーミングを行うスイッチにはプラスの記号が付され、前記ワイド側へのズーミングを行うスイッチにはマイナスの記号が付されることを特徴とする請求項１または２に記載のカメラにおける数値データ設定装置。」と訂正する。
（２）　訂正事項ｂ
　明細書の段落【０００５】における【課題を解決するための手段】の記載を、特許請求の範囲の記載と整合を図るため添付の全文訂正明細書のとおり、訂正する。
　しかしながら、上記訂正事項ａは、請求項１については限定事項を付加するものであるが、請求項２、３を増加する訂正であり、特許請求の範囲の減縮を目的とした明細書の訂正に該当しない。
　したがって、上記訂正は、特許法第１２０条の４第３項において準用する平成６年法改正前の同法１２６条第１項ただし書き各号のいずれの規定にも適合していないので本件訂正請求は認められない。　　　
　　　　　　　　　　　　　　　　　　　　　　
３　【本件発明】　
　上記２で示したように上記訂正は認められないから、本件の請求項１に係る発明（以下、「本件発明」という。）は、特許請求の範囲の請求項１に記載された次のとおりのものである。
「【請求項１】　
　ズーミング操作を行うためのズーミング操作部と、
　設定すべき数値データの種類を選択する選択操作部と、
　選択された数値データの数値をズーミング操作部の操作により増減させる制御手段と、
　を具備したことを特徴とするカメラにおける数値データ設定装置。」　　
　　　　　　　　　　　　　　　　　　　　　　　　
４　【引用刊行物】
　当審が通知した取消しの理由に引用された刊行物：特開平２−２１０４３１号公報（異議申立人の提出した甲第１号証）には、「電子制御カメラ」（発明の名称）に関し、図面と共に次の（１）ないし（３）のとおりの記載がある。
（１）「ズームレバー１０はワイド側とテレ側との間で矢印ｒ１、ｒ２方向に操作され、ズームレバー１０を矢印ｒ１方向に強く押すと、第５図に示す速度切替えスイッチＺＭＨＬがオフし、ズームレンズはワイド側に向かって高速で素早く引き込まれ、ズームレバー１０を矢印ｒ１方向に軽く押すと、速度切替えスイッチＺＭＨＬはオンのままであり、ズームレンズは低速でワイド側に向かって緩やかに引き込まれる。また、ズームレバー１０を矢印ｒ２方向に強く押すと、速度切替えスイッチＺＭＨＬがオフし、ズームレンズはテレ側に高速で素早く繰り出され、ズームレバー１０を矢印ｒ２方向に軽く押すと、速度切替えスイッチＺＭＨＬはオンのままであり、ズームレンズは低速でテレ側に向かって緩やかに繰り出される。このズームレバー１０は後述するマニュアルシャッター時間又はインターバル時間の変更に兼用されている」（公報３頁右上欄９行ないし同頁左下欄５行）
（２）「モードボタンＡは、露出方式を設定する機能を有し、露出方式としては、ここでは、オート（ストロボ自動発光モード）、ストロボＯＮ（ストロボ強制発光モード）、ストロボＯＦＦ（ストロボ発光禁止モード）、露出補正、バルブ、バルブ＆ストロボＯＮの６種類が準備されている。第６図には、この各露出方式に対応する表示マークが示されている。なお、オートの場合、無表示である。また露出方式に対応してＭＯＤＥＡが準備されており、「０」はオート、「ｒ１」はストロボＯＮ、「２」はストロボＯＦＦ、「３」は露出補正、「４」はバルブ、「５」はバルブ＆ストロボＯＮに対応している。モードボタンＡを操作すると、後述するモード設定フローの処理に従って、ＭＯＤＥＡの内容が変更される。
　モードボタンＢは、撮影方式を設定する機能を有し、撮影方式としては、ここでは、１コマ撮影、連続撮影、セルフタイマー、ダブルセルフ、多重撮影、インターバルの６種類が準備されている。この各撮影方式に対応する表示マークも第６図に示されているが、１コマ撮影のときは無表示である。また撮影方式に対応してＭＯＤＥＢが準備されており、「０」は１コマ撮影、「１」は連続撮影、「２」はセルフタイマー、「３」はダブルセルフ、「４」は多重撮影、「５」はインターバルに対応している。モードボタンＢを操作すると、後述するモード設定フローの処理に従って、ＭＯＤＥＢの内容が変更される。ＬＣＤ表示には、このＭＯＤＥＡの内容とＭＯＤＥＢの内容とに基づき表示が行われると共に、撮影時の制御もこれらの内容に基づき行われる。
　露出方式のバルブ又はバルブ＆ストロボＯＮに対して、第７図に示すマニュアルシャッター時間が準備されている。ここでは、８種類のマニュアルシャッター時間が準備され、この８種類のマニュアルシャッター時間に対してＭＯＤＢＬＢが準備されており、「０」はバルブに対応し、「１」〜「７」は各マニュアルシャッター時間１〜６０秒に対応している。このＭＯＤＢＬＢの内容は後述するモード処理フローにおいて、モードボタンＡを押してバルブ又はバルブ＆ストロボＯＮに変化したときにそのままモードボタンＡを押した状態でズームレバー１０を操作すると変更される。なお、バルブ又はバルブ＆ストロボＯＮのときでマニュアルシャッター時間が表示されていないときにモードボタンＡを押し、ズームレバー１０を操作しても変更される。
撮影方式のインターバルに対して、第８図に示すインターバル時間が準備されている。ここでは、１６種類のインターバル時間が準備され、この１６種類のインターバル時間に対してＭＯＤＩＮＴが準備されており、このＭＯＤＩＮＴの各内容「０」〜「１５」は、各イン夕一バル時間０秒〜６０分に対応している。ＭＯＤＩＮＴの内容は、モードボタンＢを押してインターバルに変化したときに、そのままモードボタンＢを押した状態でズームレンズ１０を操作すると変更される。なお、インターバルでインターバル時間が表示されていないときにモードボタンＢを押し、ズームレバー１０を操作しても変更される。」（公報４頁右上欄４行ないし５頁左上欄３行）
（３）「本発明に係わる電子制御カメラは、以上説明したように構成したので、マニュアルシャッター時間あるいはインターバル時間の変更機能を追加した場合にあっても、モードボタンの個数、マニュアルシャッター時間あるいはインターバル時間を表示するための表示領域を表示部に新たに設けなくとも、マニュアルシャッター時間あるいはインターバル時間を変更できると共にその変更されたマニュアルシャッター時間あるいはインターバル時間を表示できる効果がある。」（公報１２頁左上欄１８行ないし同頁右上欄７行）
　　　　　　　　　　　　　　　　　　　　　　　　
５　【当審の判断】
　本件発明と引用例に記載の発明とを対比すると、次のことが認められる。
（１）引用例には、ズームレバー１０は、矢印ｒ１方向に操作されることによりズームレンズがワイド側に向かって引き込まれ、矢印ｒ２方向に操作されることによりズームレンズがテレ側に向かって繰り出されることが記載されており（引用例の上記（１）の記載参照）、そのズームレバー１０が、本件発明の「ズーミング操作部」に相当することは明らかである。
（２）引用例には、モードボタンＡを押してバルブ又はバルブ＆ストロボＯＮに変化したときに、そのままモードボタンＡを押した状態でズームレバー１０を操作するとマニュアルシャッター時間を変更できることが、またモードボタンＢを押してインターバルに変化したときに、そのままモードボタンＢを押した状態でズームレンズ１０を操作するとインターバル時間を変更できることがそれぞれ記載されており（引用例の上記（２）の記載参照）、そのモードボタンＡ、Ｂが、本件発明でいう「設定すべき数値データの種類を選択する選択操作部」に相当することは明らかであり、またそのようなモードボタンＡ、Ｂ（選択操作部）で選択されたマニュアルシャッター時間やインターバル時間（数値データ）をズームレバー（ズーミング操作部）を操作して変更する制御が制御手段でなされることも当業者に自明の事項である。すなわち引用例に記載の発明も、本件発明でいう「選択された数値データの数値をズーミング操作部の操作により増減させる制御手段」を有するものといえる。
（３）引用例に記載の電子制御カメラも、マニュアルシャッター時間やインターバル時間（数値データ）を変更し得るものであり（引用例の上記（３）の記載参照）、本件発明と同様の「カメラにおける数値データ設定装置」を対象としているといえる。
（４）以上の点（１）ないし（３）を踏まえると、本件発明は、すべて引用例に記載されているものであって、本件発明は引用例のものと同一ということとなる。　　　　　　
　　　　　　　　　　　　　　　　　
６　【むすび】
　以上のとおりであるから、本件発明の特許は、特許法第２９条第１項第３号の規定に違反してされたものである。
　したがって、本件発明の特許は、特許法第１１３条第２号に該当し、取り消されるべきものである。
　よって、結論のとおり決定する。
【異議決定日】
平成１６年１月２３日（２００４．１．２３）